(57)【要約】【課題】ディスク等の情報記録媒体の交換を行った際に簡単に再生音量のレベル差を低減して一定の音量で再生を行う。【解決手段】情報記録媒体から再生した、オーディオ情報の録音レベルを検出する録音レベル検出部１８と、録音レベル検出部によって検出された録音レベルに応じてオーディオ情報の再生音量レベルを補正する再生音量設定補正部１７とを有している。【選択図】図１
2007164944.tif 000002
【特許請求の範囲】
【請求項１】
情報記録媒体からオーディオ情報を読み取る情報読み取り手段と、
前記情報読み取り手段で読み取ったオーディオ情報の録音レベルを検出する録音レベル検出手段と、
前記録音レベル検出手段によって検出された録音レベルに応じて前記オーディオ情報の再生音量レベルを補正する再生音量レベル補正手段とを備えたオーディオ装置。
【請求項２】
情報記録媒体から読み取ったオーディオ情報を一旦記憶する記憶手段を備え、
録音レベル検出手段は前記記憶手段に記憶されたオーディオ情報についてその録音レベルを予め規定された時間で平均して録音レベルを平均値として得るようにしたことを特徴とする請求項１記載のオーディオ装置。
【請求項３】
記憶手段に記憶されたオーディオ情報を予め設定された再生音量レベルで出力する再生音量設定手段を備え、
再生音量レベル補正手段は前記再生音量設定手段から出力されたオーディオ情報について再生音量レベルの補正を行うようにしたことを特徴とする請求項２記載のオーディオ装置。
【請求項４】
情報記録媒体に記録されている該情報記録媒体の種別を判別する種別判別手段と、
前記種別判別手段による判別結果に応じて再生音量設定手段から出力されたオーディオ情報の再生音量レベルを補正する種別音量レベル補正手段とを備え、
再生音量レベル補正手段は前記種別音量レベル補正手段で補正されたオーディオ情報を補正するようにしたことを特徴とする請求項３記載のオーディオ装置。
【請求項５】
記憶手段として、振動に起因する音飛びを防止するショックプルーフメモリを用いたことを特徴とする請求項２から請求項４のうちのいずれか１項記載のオーディオ装置。
【発明の詳細な説明】
【技術分野】
【０００１】
この発明は、ＤＶＤ（Ｄｉｇｉｔａｌ  Ｖｉｄｅｏ  Ｄｉｓｋ）プレーヤ又ＤＶＤチェンジャー等のディスク再生装置を内蔵するオーディオ装置に関し、特に、ディスクの録音レベルが変化しても再生音量を補正して一定に保つことのできるオーディオ装置に関するものである。
【背景技術】
【０００２】
一般に、ＤＶＤプレーヤにおいては、ＤＶＤディスクのみではなく、ＣＤ（Ｃｏｍｐａｃｔ  Ｄｉｓｃ）も再生することができ、ＣＤ又はＤＶＤ等のディスクを再生する際の音量は、音量調節器（ボリューム）によってユーザが設定している。ところで、ＤＶＤとＣＤとではその録音レベルに相違があり、一般的に、ＣＤは録音レベルの高いものが多いものの、ＤＶＤはそのダイナミックレンジの高さゆえに、平均的な録音レベルはＣＤに比べて低くなっているものが多い。そのため、ＤＶＤプレーヤにおいて、ディスクをＤＶＤからＣＤに入れ替えた場合又はＣＤからＤＶＤに入れ替えた場合には（つまり、ディスク交換を行うと）、ユーザによる音量設定値が同一であっても、再生される（つまり、出力される）再生音量レベルが異なることがある。
【０００３】
上述のようなディスク交換時における音量レベルの相違（音量レベルの差）を軽減するため、ＤＶＤプレーヤで再生を行う際、ディスクがＣＤであるかＤＶＤであるかに応じて、音量設定器による音量設定値に対する出力レベルを可変するようにしたものがある。
【０００４】
一方、ディスクの再生を行う際、スピーカから出力される音量を調整するため、ディスクに記録されているオーディオ信号のディスク再生位置に応じた信号レベルの強弱を予め測定し、ディスク再生位置に対応した強弱の情報を強弱情報記憶部に記憶して、ディスク再生時には現在のディスク再生位置に対応した強弱の情報を基にその時点での減衰量及び増幅度を設定して、ディスク再生信号レベルを自動調整するようにしたものがある（例えば、特許文献１参照）。
【０００５】
【特許文献１】特開平７−２４０６７号公報（第７頁〜第９頁、第１図〜第８図）
【発明の開示】
【発明が解決しようとする課題】
【０００６】
従来のオーディオ装置は以上のように構成されているので、ＤＶＤ間においてもその録音レベルが異なるものがあり、単にディスクがＣＤか又はＤＶＤかを判別するのみでは、ディスク再生の際の音量レベル差を精度よく補正することができない。例えば、映画を録音・録画したＤＶＤにおいては、爆発等の大音響シーンのダイナミック感を出すため、ＤＶＤ全体を通した平均的な録音レベルは低めに設定されている。一方、ライブ等の音楽ＤＶＤにおいては、全体的に高めの録音レベルとなっており、ＤＶＤ間においてもジャンル等が異なると、録音レベルが大きく異なることがある。
【０００７】
同様に、ＣＤにおいても、例えば、ポップス系のＣＤでは全体的にデジタルのフルスケールに近い高い録音レベルで録音されたものが多いものの、クラッシク等のＣＤでは、ダイナミックレンジを大きく取って、平均的に低めの録音レベルで録音されていることが多い。このように、同一種類のディスクにおいてもジャンル等の相違によってその録音レベルが異なり、ディスクによる録音レベル差が存在する。
【０００８】
このように種々の録音レベルで録音が行われたディスクを再生する際、ユーザが再生音量を設定したとしても、ディスクを交換する度に音量感が変わり、その都度音量設定値を変えなければならず、ユーザにとっては極めて煩雑であるばかりでなく、ディスクを交換した際突然音量が大きくなって驚くこともある。
【０００９】
さらに、ディスク再生位置に応じた信号レベルの強弱を予め測定して記憶し、ディスク再生の際ディスク再生位置に対応した強弱の情報に基づいて減衰量及び増幅度を設定するようにしたとしても、ディスク再生位置に対応して予め信号レベルの強弱を予め測定しなければならず、そのような測定をディスク交換の都度行うとなると、ユーザは測定の間ディスク再生を待たなければならない。
【００１０】
この発明は上記のような課題を解決するためになされたもので、ディスク交換を行った際に簡単に再生音量のレベル差を低減して一定の音量で再生を行うことのできるオーディオ装置を提供することを目的とする。
【課題を解決するための手段】
【００１１】
この発明に係るオーディオ装置は、情報記録媒体に記録されたオーディオ情報についてその録音レベルを検出する録音レベル検出手段と、録音レベル検出手段によって検出された録音レベルに応じてオーディオ情報の再生音量レベルを補正する再生音量レベル補正手段とを有するものである。
【発明の効果】
【００１２】
この発明によれば、ディスク等の情報記録媒体からオーディオ情報を再生する際、その録音レベルを検出して、検出された録音レベルに基づいてオーディオ情報の再生音量レベルを補正するように構成したので、情報記録媒体の交換を行った際においても、ユーザが再生音量レベルを調整する必要がなく、簡単に再生音量のレベル差を低減して一定の音量で再生を行うことができるという効果がある。
【発明を実施するための最良の形態】
【００１３】
実施の形態１．
図１はこの発明の実施の形態１によるオーディオ装置の一例を示すブロック図であり、図示のオーディオ装置１０は、ＣＤ／ＤＶＤデッキ１１、デジタル信号読み取り部（以下単に信号読み取り部と呼ぶ）１２、ディスク種別判別部（種別判別手段）１３、メモリ（記憶手段）１４、再生音量設定部（再生音量設定手段）１５、第１の再生音量設定補正部（種別音量レベル補正手段）１６、第２の再生音量設定補正部１７、録音レベル検出部（録音レベル検出手段）１８、補正量設定部１９、制御部２０、音量調節器２１、Ｄ／Ａコンバータ２２、パワーアンプ２３、及びスピーカ２４を有しており、ＣＤ／ＤＶＤデッキ１１にセットされたディスク（ＣＤ又はＤＶＤ）から音響（オーディオ）を再生して、スピーカ２４から出力する。なお、ここでは、補正量設定部１９及び第２の再生音量設定補正部１７が再生音量レベル補正手段として機能する。
【００１４】
ディスクの再生に当たっては、後述するようにして、ディスクの種別（例えば、ＣＤであるかＤＶＤであるかの種別）、ディスクの録音レベル、及びユーザが設定する音量等に応じて再生音量レベルが調整され、ユーザは一定の再生音量レベルで音楽等を楽しむことができる。
【００１５】
次に動作について説明する。
いま、ＣＤ／ＤＶＤデッキ１１にディスク（情報記録媒体：図示せず）がセットされて、ディスクの再生が行われると、信号読み取り部１２では、例えば、ディスクのＴＯＣ（Ｔａｂｌｅ  ｏｆ  Ｃｏｎｔｅｎｔｓ）情報（種別情報）及び音楽信号（オーディオ情報）を読み取る。ディスク種別判別部１３はＴＯＣ情報に応じてディスクの種別を判別する。そして、信号読み取り部１２にはディスク種別判別部１３からディスク判別結果を示すディスク判別信号が与えられ、ディスクがＤＶＤである際には、信号読み取り部１２はさらにドルビーデジタル等のデコード処理を行う。そして、信号読み取り部１１は順次音楽信号をメモリ１４に一旦記憶する。
【００１６】
一方、ユーザは音量調節器（ボリューム）２１を用いて音量ボリュームを設定する。この音量ボリュームは制御部２０に与えられ、制御部２０はユーザ設定の音量ボリュームに応じて再生音量設定部１５に設定音量レベルを設定する。メモリ１４から読み取られた音楽信号はその音量レベルが再生音量設定部１５に設定された設定音量レベルに設定され、さらに、第１及び第２の再生音量設定補正部１６及び１７で再生音量レベルが補正される。
【００１７】
第１の再生音量設定補正部１６で再生音量レベルを補正する際には、ディスク種別判別部１３からディスク判別信号が与えられ、第１の再生音量設定補正部１６はディスク判別信号が示すディスク種別に基づいて設定音量レベルを補正して、第１の補正再生音量レベルとする。録音レベル検出部１８はメモリ１４をアクセスして、音楽信号の録音レベル、つまり、ディスクの録音レベルを検出し、検出した録音レベル検出信号に応じて音量補正量を求め、この音量補正量を第２の再生音量設定補正部１７に与える。第２の再生音量設定補正部１７では音量補正量に基づいて第１の補正再生音量レベルを補正して第２の補正再生音量レベルとする。
【００１８】
このようにして、再生音量レベルが補正された音楽信号はＤ／Ａコンバータ２２でアナログ音楽信号に変換された後、パワーアンプ２３で増幅されて、スピーカ２４から音楽として出力される。
【００１９】
次に、第１及び第２の再生音量設定補正部１６及び１７の動作について説明する。図２は第１の再生音量設定補正部１６に設定される補正量の一例を示す図であり、図示の例では、再生メディア（再生ディスク）がＣＤの際には、補正量＝−５ｄＢとされ、再生メディアがＤＶＤである際には、補正量＝０ｄＢとされる（つまり、ディスクの種別に応じて異なる補正量が設定される）。前述のように、ＣＤとＤＶＤとでは、ＣＤの方が、録音レベルが高いことが多いため、図２に示すように、ＤＶＤの再生時に比べて、ＣＤの再生時における再生音量レベルを下げる補正を行う。これによって、ＣＤ／ＤＶＤの交換の際における音量レベル差を軽減できる。図２に示す補正量は音声再生前にディスク種別を判別した際に設定され、次にディスクを交換するまで再生中においては常に補正量は一定に保たれる。
【００２０】
図３は第２の再生音量設定補正部１７に設定される補正量の一例を示す図であり、図示の例では、予め規定された時間毎の平均録音レベルに応じて補正量が設定される。例えば、平均録音レベルが０〜−１０ｄＢ（−１０ｄＢを含まず）では、補正量＝０ｄＢが設定され、平均録音レベルが−１０〜−１５ｄＢ（−１５ｄＢを含まず）では、補正量＝＋５ｄＢが設定される。同様にして、平均録音レベルが−１５〜−２０ｄＢ（−２０ｄＢを含まず）では、補正量＝＋１０ｄＢが設定され、平均録音レベルが−２０〜−２５ｄＢ（−２５ｄＢを含まず）では、補正量＝＋１５ｄＢが設定される。
【００２１】
また、平均録音レベルが−２５〜−３０ｄＢ（−３０ｄＢを含まず）では、補正量＝＋２０ｄＢが設定され、平均録音レベルが−３０〜−３５ｄＢ（−３５ｄＢを含まず）では、補正量＝＋２５ｄＢが設定され、平均録音レベルが−３５〜−７０ｄＢ（−７０ｄＢを含まず）では、補正量＝＋３０ｄＢが設定され、平均録音レベルが−７０ｄＢ以下であると、補正量＝０ｄＢが設定される。
【００２２】
前述のように、信号読み取り部１２で読み取られた音楽信号は、順次メモリ１４に一旦記憶され、メモリ１４から読み出された音楽信号は再生音量設定部１５で設定音量レベルに設定される。音楽信号がメモリ１４に記憶されている時間を利用して、録音レベル検出部１８は、予め規定された時間毎の録音レベルの平均値を検出して、平均録音レベルとして補正量設定部１９に与える。補正量設定部１９では平均録音レベルに応じて、例えば、図３に示す補正量テーブルを検索して、平均録音レベルに対応する補正量を得て、この補正量を第２の再生音量設定補正部１７に設定する。そして、第２の再生音量設定補正部１７では、この設定補正量に応じて音楽信号の再生音量レベルを補正して、音楽信号を出力する。
【００２３】
このようにして、平均録音レベルに応じて音楽信号の音量レベルを補正すると、同一種類のディスクであっても（種別が同一のディスクであっても）、録音レベルの相違に応じて再生音量レベルを補正することができる結果、同一種別のディスクを交換した際においても、再生音量レベル差を軽減することができる。さらに、ディスク再生中においても、再生箇所に起因する録音レベル差による再生音量レベル差を軽減することができ、ユーザが頻繁に音量調節器２１を操作するという煩わしさがなく、常にほぼ一定の音量で音楽等の音響を楽しむことができる。
【００２４】
ここで、録音レベルの異なる二枚のディスク（Ｄｉｓｃ  Ａ及びＤｉｓｃ  Ｂ）を、オーディオ装置１０を用いて再生してみた。いま、Ｄｉｓｃ  Ａ及びＤｉｓｃ  Ｂの録音レベルが、図４にそれぞれＡ１及びＢ１に示すように変化しているとする。一方、補正量設定部１９では録音レベル検出部１８から与えられる検出録音レベル（平均値、例えば、５秒間の平均値）に応じて、図３に示す補正テーブルを参照して、第２の再生音量設定補正部１７に補正量を設定する。
【００２５】
図５は、第２の再生音量設定補正部１７に設定される補正量の変化を示す図であり（曲線Ａ２はＤｉｓｃ  Ａに対する補正量の変化、曲線Ｂ２はＤｉｓｃ  Ｂに対する補正量の変化）、検出録音レベルに応じて、補正テーブルで示す補正量が第２の再生音量設定補正部１７に設定されることが分かる。
【００２６】
第２の再生音量設定補正部１７による再生音量レベルの補正によって、音楽信号の再生音量レベルは、Ｄｉｓｃ  Ａを再生する際には、図６に示す曲線Ａ１から曲線Ａ３のように変化し、Ｄｉｓｃ  Ｂを再生する際には、図７に示す曲線Ｂ１から曲線Ｂ３のように変化する。曲線Ａ３と曲線Ｂ３とを比べてみると、再生音量レベルが補正された結果、その再生音量レベル差が軽減されていることが分かる。さらに、同一種別のディスクにおいても、平均録音レベルが大きく異なる再生箇所間において再生音量レベル差が軽減されていることが分かる。なお、補正量を変更する際には、例えば、５ｄＢから１０ｄＢに一気に変更すると、変化点において違和感が生じるため徐々（段階的）に変更することが望ましい。
【００２７】
ところで、例えば、車載用オーディオ装置又はポータブルオーディオ装置等においては、メモリ１４として、振動等による音飛びを防止するメモリ（ショックプルーフメモリ）を用いている。そこで、このショックプルーフメモリを用いて音楽信号等のデータを蓄え、このショックプルーフメモリから読み出したデータを用いて録音レベルを検出するようにすれば、新たにメモリ等を追加する必要がなく、コストを削減することができる。
【００２８】
以上のように、この実施の形態１によれば、ディスクの録音レベルに応じて再生音量レベルを補正するようにしたので、ディスクが交換されても、ユーザが再生音量レベルを調整する必要がなく、簡単にディスク毎の再生音量レベルの差を低減して一定の音量で再生を行うことができる。
【００２９】
この実施の形態１によれば、ディスクから読み取った再生信号を一旦メモリに記憶して、メモリに記憶された再生信号についてその録音レベルを予め規定された時間で平均して録音レベルを得るようにしたので、ディスクを再生する際に再生が中断されることがなく、ユーザに煩わしさを感じさせることがない。
【００３０】
この実施の形態１によれば、ディスク中のＴＯＣ情報に応じてディスクの種別を判別して、この判別結果に応じて再生信号を補正するようにしたので、ディスクの種別（例えば、ＣＤ又はＤＶＤ）に対応して適切な再生音量レベルの補正を行うことができる。
【００３１】
この実施の形態１によれば、メモリとして振動に起因する音飛びを防止するショックプルーフメモリを用いるようにしたので、予めショックプルーフメモリが備えられた車載用オーディオ装置等においては新たにメモリを備える必要がなく、コストを低減することができる。
【図面の簡単な説明】
【００３２】
【図１】この発明の実施の形態１によるオーディオ装置の一例を示すブロック図である。
【図２】図１に示す第１の再生音量設定補正部に設定される補正量と再生メディアとの関係を示す図である。
【図３】図１に示す第２の再生音量設定補正部に設定される補正量と平均録音レベルとの関係を示す図である。
【図４】異なるディスクの録音レベルの時間的変化を示す図である。
【図５】図５に示す録音レベルを有するディスクついて音量補正量の変化を示す図である。
【図６】ディスクＡの音量レベル補正前と補正後の再生音量レベルの変化を示す図である。
【図７】ディスクＢの音量レベル補正前と補正後の再生音量レベルの変化を示す図である。
【符号の説明】
【００３３】
１０  オーディオ装置、１１  ＣＤ／ＤＶＤデッキ、１２  信号読み取り部、１３  ディスク種別判別部、１４  メモリ、１５  再生音量設定部、１６，１７  再生音量設定補正部、１８  録音レベル検出部、１９  補正量設定部、２０  制御部、２１  音量調節器、２２  Ｄ／Ａコンバータ、２３  パワーアンプ、２４  スピーカ。
【図１】
2007164944.tif 000003
【図２】
2007164944.tif 000004
【図３】
2007164944.tif 000005
【図４】
2007164944.tif 000006
【図５】
2007164944.tif 000007
【図６】
2007164944.tif 000008
【図７】
2007164944.tif 000009